(57)【要約】【課題】本発明は、ディスクの着脱動作を容易に、且つ確実に行うことができるディスク装置を提供すること。【解決手段】本発明のディスク装置は、装置前面に設けられている開閉扉３が、回動部４とスライド部５とを有して構成され、スライド部５が摺動動作の後に回動部が回動して装置前面のディスク駆動手段９を表出させ、回動部４が回動した後にスライド部５が摺動してディスク駆動手段を遮蔽するよう構成されている。【選択図】図１４
2006244567.tif 000002
【特許請求の範囲】
【請求項１】
ディスク状記録媒体を装置前面に縦型に装着して記録及び／又は再生を行うディスク装置において、
ディスク状記録媒体を駆動するディスク駆動手段、
回動部とスライド部とを有して構成され、前記スライド部が摺動動作の後に前記回動部が回動して装置前面の前記ディスク駆動手段を表出させ、前記回動部が回動した後に前記スライド部が摺動して前記ディスク駆動手段を遮蔽する開閉扉、及び
前記開閉扉を駆動する扉駆動手段、
を具備することを特徴とするディスク装置。
【請求項２】
前記開閉扉が前記ディスク駆動手段を表出させたとき、当該ディスク装置に収納されたディスク状記録媒体を所定距離上昇させるリフト手段を有する請求項１に記載のディスク装置。
【請求項３】
前記スライド部が摺動するときディスク状記録媒体を装着するためのクランパを所定位置に配置するよう構成された請求項１に記載のディスク装置。
【請求項４】
前記回動部が回動して前記ディスク駆動手段を遮蔽するとき、収納されたディスク状記録媒体を前記ディスク駆動手段に対する装着位置に配置するよう構成された請求項１に記載のディスク装置。
【請求項５】
装置内部に収納されたディスク状記録媒体を遊動可能に保持するディスクホルダを有し、前記開閉扉が回動して前記ディスク駆動手段を表出させたとき、前記開閉扉と連動して前記ディスクホルダが当該ディスク状記録媒体を前記ディスク駆動手段と前記開閉扉との実質的に中間位置に配置するよう構成された請求項１に記載のディスク装置。
【請求項６】
前記開閉扉が回動して前記ディスク駆動手段を表出させたとき、前記ディスクホルダが遊動可能に保持するディスク状記録媒体における中央部分の装着領域を開放するよう構成された請求項５に記載のディスク装置。
【請求項７】
前記扉駆動手段における１つの駆動源により、前記スライド部が摺動動作の後に前記回動部を回動して装置前面の前記ディスク駆動手段を表出させ、前記回動部が回動した後に前記スライド部を摺動して前記ディスク駆動手段を遮蔽するよう構成された請求項１に記載のディスク装置。
【請求項８】
前記開閉扉と当該開閉扉が遮蔽するディスク装置の対応する部分とに嵌合手段を設け、前記スライド部が摺動して前記ディスク駆動手段を遮蔽するとき、前記嵌合手段により前記開閉扉とディスク装置の対応する前記部分が斜行して移動し密着するよう構成された請求項１に記載のディスク装置。
【発明の詳細な説明】
【技術分野】
【０００１】
本発明は、ＣＤ、ＤＶＤ等のディスク状記録媒体に対して記録及び／又は再生するディスク装置に関し、特にディスク状記録媒体を装置前面に縦型に装着するディスク装置に関する。
【背景技術】
【０００２】
ＣＤ、ＤＶＤ等のディスク状記録媒体（以下単にディスクと略称する。）が装着されるよう構成されたディスク装置において、ディスクの回転動作を容易に視認できる点やデザイン上の要求により、ディスクを装置前面に縦型に装着するディスク装置が用いられている。このようなディスク装置において、ディスクを着脱するために、装置前面の開閉扉を手前側に回動させてディスク装着部分を開放するのが一般的である（特許文献１及び２参照。）。
【特許文献１】特許第２６２９７６６号明細書
【特許文献２】特許第２６２９８２９号明細書
【発明の開示】
【発明が解決しようとする課題】
【０００３】
ディスクを装置前面に縦型に装着する従来のディスク装置において、装置前面の開閉扉を手前側に回動させてディスク装着部分を開放する形態では、ディスクの着脱時に使用者がディスク記録面に触らないようにディスクの外周縁部分、若しくは中心部分を握持して着脱動作を行っている。しかし、上記のようなディスクを装置前面に縦型に装着する形態においては、交換すべきディスクが開閉扉に接触した状態で開閉扉とともに前面側に倒れているため、ディスクの記録面に接触することなくディスクを交換することが容易ではなかった。このような状態のディスクをディスク装置から確実に取り出すためには、ディスクの中央部分を両側から握持することが好ましいが、ディスクの中央部分は片面のみしか開放されていないため、ディスクの中央部分を両側から握持することは容易ではなかった。
また、従来のディスク装置において、装置前面の開閉扉を手前側に回動させてディスクの装着部分を開放する形態では、開閉扉が閉じた状態に置いて装置に対して確実に係合しておらず開閉扉ががたつき等の品位の点で問題があった。
【０００４】
本発明は、ディスクを装置前面に縦型に装着するディスク装置において、装置前面の開閉扉を手前側に回動させてディスクの装着部分を開放する形態であっても、ディスクの着脱動作を容易に、且つ確実に行うことができるディスク装置を提供することを目的とする。
【課題を解決するための手段】
【０００５】
上記の目的を達成するために、本発明のディスク装置は、請求項１に記載しているように、ディスク状記録媒体を装置前面に縦型に装着して記録及び／又は再生を行うディスク装置において、
ディスク状記録媒体を駆動するディスク駆動手段、
回動部とスライド部とを有して構成され、前記スライド部が摺動動作の後に前記回動部が回動して装置前面の前記ディスク駆動手段を表出させ、前記回動部が回動した後に前記スライド部が摺動して前記ディスク駆動手段を遮蔽する開閉扉、及び
前記開閉扉を駆動する扉駆動手段、を具備する。このように構成された本発明のディスク装置は、装置前面の開閉扉を手前側に回動させてディスク状記録媒体の装着部分を開放する形態であっても、ディスク状記録媒体の着脱動作を容易に、且つ確実に行うことができる。ここで、ディスク駆動手段とは、装着されたディスク状記録媒体を記録及び／又は再生するための機構であり、例えば後述する実施例における少なくともターンテーブル９を含んで構成されている。また、扉駆動手段とは、例えば後述する実施例における扉駆動機構であり、少なくとも開閉アーム１１、扉駆動機構用モータ１２、ドラムギア１９を含んで構成されている。
【０００６】
本発明のディスク装置は、請求項２に記載しているように、請求項１に記載の前記開閉扉が前記ディスク駆動手段を表出させたとき、当該ディスク装置に収納されたディスク状記録媒体を所定距離上昇させるリフト手段を有するよう構成されている。このように構成することにより、本発明のディスク装置は収納されているディスク状記録媒体の抜き取り動作を容易に、かつ確実に行うことができる。ここで、リフト手段とは、例えば後述する実施例における少なくともリフトアーム２１、リフト板２５を含んで構成されている。
【０００７】
本発明のディスク装置は、請求項３に記載しているように、請求項１に記載の前記スライド部が摺動するときディスク状記録媒体を装着するためのクランパを所定位置に配置するよう構成されている。このように構成することにより、本発明のディスク装置は収納されたディスク状記録媒体を確実に装着位置に配置して、確実な記録及び／又は再生動作を行うことができる。
【０００８】
本発明のディスク装置は、請求項４に記載しているように、請求項１に記載の前記回動部が回動して前記ディスク駆動手段を遮蔽するとき、収納されたディスク状記録媒体を前記ディスク駆動手段に対する装着位置に配置するよう構成されている。このように構成することにより、本発明のディスク装置は収納されたディスク状記録媒体を確実に装着位置に配置して、確実な記録及び／又は再生動作を行うことができる。
【０００９】
本発明のディスク装置は、請求項５に記載しているように、請求項１に記載の装置内部に収納されたディスク状記録媒体を遊動可能に保持するディスクホルダを有し、前記開閉扉が回動して前記ディスク駆動手段を表出させたとき、前記開閉扉と連動して前記ディスクホルダが当該ディスク状記録媒体を前記ディスク駆動手段と前記開閉扉との実質的に中間位置に配置するよう構成されている。このように構成することにより、本発明のディスク装置は収納されているディスク状記録媒体の抜き取り動作を容易に、かつ確実に行うことができる。
【００１０】
本発明のディスク装置は、請求項６に記載しているように、請求項５に記載の前記開閉扉が回動して前記ディスク駆動手段を表出させたとき、前記ディスクホルダが遊動可能に保持するディスク状記録媒体における中央部分の装着領域を開放するよう構成されている。このように構成された本発明のディスク装置は、ディスク状記録媒体を容易に装着できるとともに、収納されているディスク状記録媒体の抜き取り動作を容易に行うことができる。
【００１１】
本発明のディスク装置は、請求項７に記載しているように、請求項１に記載の前記扉駆動手段における１つの駆動源により、前記スライド部が摺動動作の後に前記回動部を回動して装置前面の前記ディスク駆動手段を表出させ、前記回動部が回動した後に前記スライド部を摺動して前記ディスク駆動手段を遮蔽するよう構成されている。このように構成されたディスク装置は、簡単な構成でディスク状記録媒体の着脱動作を容易に、且つ確実に行うことができる。
【００１２】
本発明のディスク装置は、請求項８に記載しているように、請求項１に記載の前記開閉扉と当該開閉扉が遮蔽するディスク装置の対応する部分とに嵌合手段を設け、前記スライド部が摺動して前記ディスク駆動手段を遮蔽するとき、前記嵌合手段により前記開閉扉とディスク装置の対応する前記部分が斜行して移動し密着するよう構成されている。このように構成された本発明のディスク装置は、装置前面の開閉扉がディスク装置に対して密着した遮蔽状態となり、がたつくことがない品位の高い装置となる。ここで、嵌合手段とは、例えば後述する実施例におけるスライド部５の嵌合部５ｃとキャビネット２の凹部２ａとにより構成され、密着して嵌合するものをいう。
【発明の効果】
【００１３】
本発明によれば、ディスク状記録媒体を装置前面に縦型に装着するディスク装置において、ディスク状記録媒体の着脱動作を容易に、且つ確実に行うことができる。
【００１４】
また、本発明のディスク装置においては、開閉扉がディスク駆動手段を表出させたとき、当該ディスク装置に収納されたディスク状記録媒体が所定距離上昇するよう構成されているため、収納されているディスク状記録媒体の抜き取り動作を容易に、かつ確実に行うことができる。
【００１５】
また、本発明のディスク装置においては、スライド部が摺動するときディスク状記録媒体を装着するためのクランパを所定位置に配置するよう構成されているため、収納されたディスク状記録媒体を確実に装着位置に配置して、確実な記録及び／又は再生動作を行うことができる。
【００１６】
また、本発明のディスク装置においては、回動部が回動してディスク駆動手段を遮蔽するとき、収納されたディスク状記録媒体をディスク駆動手段に対する装着位置に配置するよう構成されているため、収納されたディスク状記録媒体を確実に装着位置に配置して、確実な記録及び／又は再生動作を行うことができる。
【００１７】
また、本発明のディスク装置においては、開閉扉が回動してディスク駆動手段を表出させたとき、ディスクホルダがディスク状記録媒体をディスク駆動手段と開閉扉との間に配置されているため、収納されているディスク状記録媒体の抜き取り動作を容易に、かつ確実に行うことができる。
【００１８】
さらに、本発明のディスク装置においては、開閉扉が回動してディスク駆動手段を表出させたとき、収納されているディスク状記録媒体の中央部分の装着領域が開放されているため、ディスク状記録媒体を容易に装着できるとともに、収納されているディスク状記録媒体の抜き取り動作を容易に行うことができる。
【発明を実施するための最良の形態】
【００１９】
以下、本発明に係るディスク装置の好適な実施の形態について具体的な実施例に基づいて添付の図面を参照しつつ説明する。
【実施例１】
【００２０】
図１は本発明に係る実施例１のディスク装置を示す外観斜視図である。図２は実施例１のディスク装置の開閉扉３を開いた状態を示す斜視図である。
図１及び図２に示すように、実施例１のディスク装置は、ディスク状記録媒体（以下ディスクと略称する。）を装置の正面である前面に縦型に装着するディスク装置である。実施例１のディスク装置を構成するキャビネット２の前面には、開閉扉３と操作部６と表示パネル７が設けられている。キャビネット２の背面側は機器カバー８により装置内部の各機器が覆われており、キャビネット２の前面における開閉扉３の両側には飾り板８ａを設けている。
【００２１】
図２に示すように、開閉扉３が開いた状態において、ディスク１が装着されて記録及び／又は再生するためのディスク駆動機構、例えばターンテーブル９、光ピックアップ１０等が表出するよう構成されている。この開閉扉３が開いた状態において、後述するように、開閉扉３を構成するスライド部５が回動部４に重なっており、開閉扉３は小さく収納された状態である。開閉扉３の回動部４とキャビネット２内の扉駆動機構とは開閉アーム１１等により連結されており、開閉扉３は後述する所定の開閉動作を行うよう構成されている。
【００２２】
実施例１のディスク装置の前面上部には、複数の押しボタンスイッチで構成された操作部６が設けられている。この操作部６により使用者が当該ディスク装置に対して記録及び／又は再生動作等の所望の動作を指令するよう構成されている。表示パネル７は、操作部６の各押しボタンスイッチの機能、及び当該ディスク装置の動作状態を示すマークや記号が表示されている。
【００２３】
図３は実施例１のディスク装置を平面で切断して上側から見た断面図であり、扉駆動機構の概略構成を示している。図３は開閉扉３が閉じた状態を示している。図３において、開閉扉３の両側に回動可能に接続されている開閉アーム１１の先端部分である開閉アームピン１１ａは、キャビネット８に固着されたシャーシ２０の案内溝２０ａを貫通してドラムギア１９に遊動可能に接続されている。両側に設けられたドラムギア１９はドラムギアシャフト１９ａを中心に後述する扉駆動機構用モータ１２の駆動力により回動するよう構成されている。
【００２４】
図４は実施例１のディスク装置を平面で切断して下側から見た断面図であり、ドラムギア１９等を駆動するために両側に設けられた扉駆動機構を示す断面図である。図４に示すように、装置右側に設けられた扉駆動機構用モータ１２がベルト１３によりプーリ１４を回転させて、中継ギア１５により右側扉駆動機構１７を駆動するとともに、連結シャフト１６を介して左側扉駆動機構１８を駆動する。実施例１のディスク装置においては、扉駆動機構１７，１８を両側に設けた構成で説明するが、本発明はこのような構成に限定されるものではなく、いずれか一方に扉駆動機構を設けて、開閉扉３を一方の開閉アーム１１により開閉動作するよう構成しても良い。ここで、開閉扉３の回動中心は、回動部４をキャビネット２に回動自在に支持する回動軸３ａである。また、回動部４にはディスクホルダ３０の支持部４ａが形成され、回動部４は支持部４ａに嵌合された回動軸３０ａを回動中心としてディスクホルダ３０を回動自在に支持している。
【００２５】
以下、実施例１にディスク装置における開閉扉３の開閉動作をその構成とともに説明する。
図５は実施例１のディスク装置において開閉扉３が閉じている状態の右側扉駆動機構１７を示す断面図である。図５において、開閉アーム１１の開閉アームピン１１ａがドラムギア１９に遊動可能に係合している状態を示す。ドラムギア１９には半径方向に延びたカム溝１９ｄが設けられており、そのカム溝１９ｄに開閉アームピン１１ａが摺動可能に係合している。図５において、開閉アームピン１１ａの移動を規制しているシャーシ２０の案内溝２０ａを破線にて示す。以下の図面においてもシャーシ２０の案内溝２０ａを同様に示す。なお、図５から図９は装置の左側から右側扉駆動機構１７を見た図である。
【００２６】
図５に示すように、開閉扉３が閉じた状態において、開閉アームピン１１ａは案内溝２０ａにおける装置後ろ側の端部にある。この状態において、ドラムギア１９に設けられているスライドピン１９ｂは、開閉扉３のスライド部５にＵ字状に形成されたスライド係合部５ａと係合している。ドラムギア１９には、スライドピン１９ｂやカム溝１９ｄの他に、開閉扉３が開くときにディスク１を持ち上げるためのリフトピン１９ｃ、当該ディスク装置の状態を電気信号により示すための第１のスイッチピン１９ｅと第２のスイッチピン１９ｆ、及びポジショニングカム１９ｇが設けられており、扉駆動機構における重要な機能を有している。開閉扉３が閉じた状態においては、第１のスイッチピン１９ｅがスイッチレバー２２を回動させて閉状態検出スイッチ２３をオン状態としている。閉状態検出スイッチ２３から出力された信号は当該ディスク装置の制御部に入力され、当該ディスク装置の現状認識のための制御に用いられる。
【００２７】
図５に示す開閉扉３が閉じた状態において、開閉扉３の開指令を受けると、扉駆動機構用モータ１２が開動作の極性で回転する。扉駆動機構用モータ１２の回転により、右側扉駆動機構１７及び左側扉駆動機構１８が駆動され、両側のドラムギア１９が同期して回動する（図５における矢印Ａ方向）。このときの動作が開閉扉３のスライド部５がスライドするスライド動作である。図６はドラムギア１９が少し回動したスライド動作終了時点を示す。図６に示すように、開閉扉３の開閉動作の初期段階においては、開閉扉３のスライド部５が下方にスライドするスライド動作を行う。このとき、スライド部５は回動部４を表裏両面から挟むように移動し、回動部４をその内部に収納する。スライド部５のスライド動作は、スライド係合部５ａと係合しているスライドピン１９ｂの回動動作による。スライド動作においては、開閉アーム１１の開閉アームピン１１ａはドラムギア１９のカム溝１９ｄをドラムギア１９の外方向に摺動する。このため、開閉アーム１１は開閉扉３を回動させない。図６に示す状態においては、第１のスイッチピン１９ｅがスイッチレバー２２を回動させていないため、閉状態検出スイッチ２３及び開状態検出スイッチ２４はともにオフ状態である。したがって、この状態ときは、開閉扉３の開閉動作中であることを制御部が認識する。
【００２８】
図７は、図６に示した状態から矢印Ａ方向にドラムギア１９が回動した状態であり、スライド動作の次に行われる回動動作の初めの状態を示している。回動動作においては、開閉アーム１１の開閉アームピン１１ａはドラムギア１９のカム溝１９ｄの最外位置あるため、ドラムギア１９の回動（矢印Ａ方向）により開閉アーム１１を介して開閉扉３は開く方向に回動する。この開閉扉３の回動に伴って、開閉扉３の内側でディスク１を遊動可能に保持するディスクホルダ３０も回動することとなるが、図７から図９においては、回動軸３０ａに支持されたディスクホルダ３０は説明の都合上図示を省略している。
ここで、ディスクホルダ３０の回動中心は回動扉３の回動中心とは異なる回動軸３０ａ（図４参照）である。後述する図１４及び図１５に示すように、ディスクホルダ３０の回動角度は開閉扉３の回動角度より小さく設定されており、例えば約半分の回動角度となるよう設定されている。このディスクホルダ３０の回動角度は、キャビネット２と開閉扉３との間において、図示しない係合手段を設けて適宜規制することにより設定されている。図１４は実施例１のディスク装置の開動作の終了状態を示しており、図１４から図１７は開状態から閉状態への動作を示しており左側扉駆動機構１８を装置右側から見ている。
【００２９】
図８は、回動動作が終了し、次にリフト動作が始まった状態を示している。このリフト動作は、開閉扉３が完全に開いた後に始まる動作であり、収納されているディスク１を持ち上げる動作である。したがって、このリフト動作においては開閉アーム１１が開閉扉３を回動させる必要がないため、開閉アーム１１の開閉アームピン１１ａはシャーシ２０の案内溝２０ａの垂直部分に案内されながら、ドラムギア１９のカム溝１９ｄをドラムギア１９の中心に向かって摺動する。図８に示すように、このリフト動作はドラムギア１９に設けられているリフトピン１９ｃがリフトアーム２１を押圧することにより開始される。図９はリフトピン１９ｃがリフトアーム２１を押圧してリフトアーム２１が回動した状態を示す。リフトアーム２１はリフトばね３１により軸２１ａを中心に図８及び図９における時計方向に常に付勢されている。
【００３０】
上記のように、開閉扉３が開き、開指令による開動作は終了する。この開動作終了状態においては、第２のスイッチピン１９ｆがスイッチレバー２２を反時計方向に回動させているため、開状態検出スイッチ２４がオン状態となる。開状態検出スイッチ２４がオン状態を示す信号は、ディスク装置の制御部に入力され当該ディスク装置の現在の開状態が認識され、次の指令待ちの状態となる。
図９に示すようなリフトアーム２１が回動したときの開閉扉３の開状態は、後述する図１４も同じ状態である。図１４に示すように、開閉扉３の内部には開閉扉３とは回動角度が異なって配置されたディスクホルダ３０が設けられている。このディスクホルダ３０にディスク１が収納保持されている。ディスクホルダ３０はリフト板２５が摺動自在に保持されており、このリフト板２５によってディスクホルダ３０に収納されたディスク１の下部が支持されている。リフト板２５は、リフトアーム２１の先端部２１ｂが連結されている。図１４に示す開状態においては、リフト板２５は上昇した状態、すなわち、ディスクホルダ３０内においてリフト板２５に載置されたディスク１を持ち上げた状態となっている。この状態で、ディスク１はディスクホルダ３０に支持されており、キャビネット２と開閉扉３との間の空間において完全に開放された状態である。このため、実施例１のディスク装置においては、ディスク１の交換を容易に行うことができる。
【００３１】
実施例１のディスク装置が開状態において閉指令を受けた時の閉動作は、上記の開動作の逆動作となる。すなわち、閉指令を受けると扉駆動機構用モータ１２は閉動作の極性となり、開動作と反対の方向に回転する。したがって、ドラムギア１９は矢印Ｂ方向（図９参照）に回動して、ディスク１を下降させてから開閉扉３の閉方向への回動動作を行う。回動動作の後、連続して開閉扉３のスライド部５が上昇するスライド動作が行われる。このスライド動作の最終段階で、図５に示す状態、すなわち、スライド部５の上端に形成された嵌合部５ｃがキャビネット２の開口縁部分に形成された凹部２ａに嵌合して、開閉扉３は完全に閉じた状態となる。
スライド部５の上端に形成された嵌合部５ｃは、嵌合する凹部２aとの接触面が斜めに形成されているため、スライド部５のスライド動作の最終段階において、嵌合部５ｃが凹部２aと接触しつつ斜めに移動して、開閉扉３はキャビネット２に引き込まれるよう密着する。この結果、実施例１のディスク装置においては、開閉扉３がキャビネット２に対してがたつくことのない密着した閉状態となる。
【００３２】
実施例１のディスク装置においては、右側扉駆動機構１７と実質的に同じ動作を行う左側扉駆動機構１８が設けられている。このように、ディスク装置の両側に扉駆動機構を設けることにより、開閉扉３の開閉動作を小さな駆動力で信頼性高く確実に行うことができる。もちろん、片側だけの扉駆動機構でも開閉扉３の開閉動作は可能であることは言うまでもない。
【００３３】
図１０から図１３は右側駆動機構１７を装置右側から見た図である。図１０は前述の図５に示した開閉扉３が閉状態を示す図である。図１０に示すように、この閉状態においては、開閉アーム１１の開閉アームピン１１ａが案内溝２０ａの後方端部にある。図１１は前述の図６に示したスライド動作終了時点の状態を示す図である。図１１に示す状態においては、開閉扉３のスライド部５が回動部４を収納するよう下降しており、開閉アームピン１１ａがコ字状の案内溝２０ａの後ろ側屈曲部分近傍にあるときである。
【００３４】
図１２は回動動作が終了した状態を示しており、この状態からドラムギア１９がさらに若干回動することにより、前述の図８に示したリフト動作が始まる状態となる。この図１２に示す回動動作終了時点において、開閉アームピン１１ａはコ字状の案内溝２０ａの前側屈曲部分近傍にある。この後、ドラムギア１９が回動（図１２における矢印Ａ方向）しても開閉扉３は回動動作を行わず、その位置に維持されてディスク１を載置するディスクホルダ３０のリフト板２５に対するリフト動作が行われる。図１３は前述の図９に示した開動作終了状態を示す図である。
【００３５】
図１４は開動作終了状態における、開閉扉３、ディスク１、左側扉駆動機構１８等のディスク装置の内部機構の配置を示す断面図であり、前述の図９と図１３に示した状態と同じである。図１４から図１７に示す左側扉駆動機構１８は装置右側から見た図である。図１４に示すように、開動作終了状態においてディスク１は、開閉扉３から上方に飛び出した状態で、ディスクホルダ３０に摺動自在に保持されたリフト板２５上に載置されている。このときディスク１はディスクホルダ３０の側面とリフト板２５とにより下部のみが支持され、前側に倒れた状態である。このため、開閉扉３の開状態においては、ディスク１の中心部分である装着領域であるクランプ領域の両側が表出した状態である。
前述のように、開閉扉３は開閉アーム１１によりその回動角度が規制されており、ディスクホルダ３０の回動角度は、開閉扉３に対して前述した係合手段により規制されている。実施例１のディスク装置において、開閉扉３の回動角度は、ディスクホルダ３０の回動角度より大きくなるよう設定されている。具体的には、開動作終了時点のディスクホルダ３０は排出状態のディスク１がディスク駆動手段であるターンテーブル９と開閉扉３のクランパ３３との実質的に中間位置に配置されるよう構成されている。また、図１４に示すように、排出状態のディスク１においては、その中央部分にある装着領域（センター孔を含む）が使用者により完全に認知できる状態である。このように、実施例１のディスク装置は、ディスクホルダ３０に収納されたディスク１が回動扉３とキャビネット２との間に形成される開放空間の略中央部分に配置され、かつリフト板２５によって持ち上げられるよう構成されているため、実施例１のディスク装置は、ディスク１の取り出し、及び交換をスムーズにかつ容易に行うことが可能となる。
【００３６】
次に、実施例１のディスク装置における開閉扉３の開閉動作において行われる、ポジショニング動作について説明する。ここでポジショニング動作とは、閉動作において、収納されたディスク１がターンテーブル９上に正確に配置され、かつ開閉扉３に設けられたクランパ３３により確実に挟着される動作である。図１５から図１７は実施例１のディスク装置の左側扉駆動機構１８におけるポジショニング動作に関連する機構を示す断面図である。図１４から図１７を用いてポジショニング動作について説明する。
【００３７】
図１４に示すように、実施例１のディスク装置には、シャーシ２０にポジショニングレバー２６が回動可能に設けられている。このポジショニングレバー２６はばね２８により回動軸２６ａを中心に図１４における反時計方向に常に付勢されている。開状態におけるポジショニングレバー２６は、図１４に示す状態に配置されている。ポジショニングレバー２６のディスク収納側端部（図１４の左端部分）には、ポジショニング板２７が設けられている。開閉扉３の開状態においては、ポジショニング板２７がディスク１下端から下側に所定距離を有して配置されている。
【００３８】
図１４に示すように、開閉扉３の回動部４にはクランパ３３が設けられている。また、回動部４にはクランパレバー２９が軸２９ａを中心に回動するよう設けられている。このクランパレバー２９は軸２９ａを中心に図１４における時計方向に付勢されている。図１４に示す開状態においては、クランパレバー２９の一端がスライド部５の突起５ｂにより下側に押圧され反時計方向に回動している。このため、クランパレバー２９の他端がクランパ３３を持ち上げた状態でクランパ３３が移動しないよう保持されている。
【００３９】
図１５は、図１４に示した状態からドラムギア１９が矢印Ｂ方向に回動して、ドラムギア１９と連動する開閉アームピン１１ａがカム溝１９ｄを摺動している。このとき、リフトピン１９ｃがリフトアーム２１を開放するため、ばね３１（図６から図９参照）により付勢されたリフトアーム２１は反時計方向に回動してリフト板２５が下降し、リフト板２５に載置されたディスク１は下降する。
【００４０】
図１５に示す状態からさらにドラムギア１９が矢印Ｂ方向に回動することにより、開閉扉３は閉じていく。図１６は、開閉扉３の回動動作が終了する直前の状態を示しており、前述の図７に示した状態と同じ状態である。図１６に示す状態において、ドラムギア１９に形成されているポジショニングカム１９ｇがポジショニングレバー２６の端部に接触して、ポジショニングレバー２６を時計方向に所定角度だけ回動軸２６ａを中心に回動させている。この結果、ポジショニングレバー２６に連結されているディスク１の下方にあるポジショニング板２７が持ち上がる。ポジショニング板２７はディスク１のみを持ち上げて、ディスク１をターンテーブル９とクランパ３３により挟着される所定の位置に位置決めする。このとき、クランパ３３はスライド部５の突起５ｂと係合しているクランパレバー２９により所定位置に保持されている。このクランパ３３の位置は、開閉扉３が閉じる方向に回動したときターンテーブル９に対向する位置である。この状態において、開閉扉３が閉じる方向に回動することにより、ディスク１はターンテーブル９に倒れこむ。
【００４１】
図１６に示す状態からさらにドラムギア１９が矢印Ｂ方向に回動して、開閉扉３のスライド部５が上昇すると、図１７に示す閉状態となる。この図１６から図１７の過程において、内部にマグネットを有するクランパ３３がディスク１を介してターンテーブル９に吸着して、この結果、ディスク１はクランパ３３とターンテーブル９により確実に挟着される。そして、図１７に示す、閉状態においては、スライド部５が上昇しているため、突起５ｂとクランパレバー２９との係合状態が外れており、クランパレバー２９はばねにより時計方向に回動している。この結果、クランパ３３はクランパレバー２９による保持状態から開放された遊動状態である。また、このときポジショニングレバー２６はポジショニングカム１９ｇによる規制状態から開放されており、ポジショニング板２７は下降している状態である。このため、収納されているディスク１はポジショニング板２７とは接触しておらず、ターンテーブル９とクランパ３３のみにより保持された状態となる。なお、この閉状態においては、前述のように、開閉扉３のスライド部５の上部に突設された嵌合部５ｃがキャビネット２の対向する部分に形成された凹部２ａと嵌合しており、開閉扉３はキャビネット２と一体化された閉状態である。
【産業上の利用可能性】
【００４２】
本発明は、ＣＤ、ＤＶＤ等のディスク状記録媒体を装置前面に縦型に装着するディスク装置において有用である。
【図面の簡単な説明】
【００４３】
【図１】本発明に係る実施例１のディスク装置を示す外観斜視図
【図２】本発明に係る実施例１のディスク装置の開閉扉３を開いた状態を示す斜視図
【図３】実施例１のディスク装置における扉駆動機構の構成を概略して示す断面図
【図４】実施例１のディスク装置におけるドラムギア１９等を駆動するための扉駆動機構を示す断面図
【図５】実施例１のディスク装置において開閉扉３が閉じている状態の右側扉駆動機構１７を示す断面図
【図６】実施例１のディスク装置におけるスライド動作終了時点を示す断面図
【図７】図６に示した状態から開閉扉３が開く方向にドラムギア１９が回動した状態を示す断面図
【図８】実施例１のディスク装置において、回動動作が終了し、次にリフト動作が始まった状態を示す断面図
【図９】実施例１のディスク装置において、リフトピン１９ｃがリフトアーム２１を押圧してリフトアーム２１が回動した状態を示す断面図
【図１０】実施例１のディスク装置において、開閉扉３が閉じた状態を示す断面図
【図１１】実施例１のディスク装置において、スライド動作終了時点の状態を示す断面図
【図１２】実施例１のディスク装置において、回動動作が終了し、次にリフト動作が始まる状態を示す断面図
【図１３】実施例１のディスク装置において、開動作終了状態を示す断面図
【図１４】実施例１のディスク装置において、開動作が終了した状態における左側扉駆動機構１８の配置を示す断面図
【図１５】図１４に示した状態からドラムギア１９が矢印Ｂ方向に回動した状態を示す断面図
【図１６】実施例１のディスク装置において、開閉扉３の回動動作が終了する直前の状態を示す断面図
【図１７】実施例１のディスク装置において、開閉扉３の回動動作が終了した状態を示す断面図
【符号の説明】
【００４４】
１    ディスク
２    キャビネット
２ａ  凹部
３    開閉扉
４    回動部
５    スライド部
５ａ  スライド係合部
５ｂ  突起
５ｃ  嵌合部
６    操作部
７    表示パネル
８    機器カバー
９    ターンテーブル
１０  光ピックアップ
１１  開閉アーム
１２  扉駆動機構用モータ
１３  ベルト
１４  プーリ
１５  中継ギア
１６  連結シャフト
１７  右側扉駆動機構
１８  左側扉駆動機構
１９  ドラムギア
１９ａ  ドラムギアシャフト
１９ｂ  スライドピン
１９ｃ  リフトピン
１９ｄ  カム溝
１９ｅ  第１のスイッチピン
１９ｆ  第２のスイッチピン
１９ｇ  ポジショニングカム
２０    シャーシ
２１    リフトアーム
２２    スイッチレバー
２３    閉状態検出スイッチ
２４    開状態検出スイッチ
２５    リフト板
２６    ポジショニングレバー
２７    ポジショニング板
２９    クランパレバー
３０    ディスクホルダ
３１    リフトばね
３３    クランパ
【図１】
2006244567.tif 000003
【図２】
2006244567.tif 000004
【図３】
2006244567.tif 000005
【図４】
2006244567.tif 000006
【図５】
2006244567.tif 000007
【図６】
2006244567.tif 000008
【図７】
2006244567.tif 000009
【図８】
2006244567.tif 000010
【図９】
2006244567.tif 000011
【図１０】
2006244567.tif 000012
【図１１】
2006244567.tif 000013
【図１２】
2006244567.tif 000014
【図１３】
2006244567.tif 000015
【図１４】
2006244567.tif 000016
【図１５】
2006244567.tif 000017
【図１６】
2006244567.tif 000018
【図１７】
2006244567.tif 000019